(57)【要約】【課題】容易に且つ確実に剥離可能な保護フィルムで保護したタッチパネルを提供する。【解決手段】タッチパネル１００は、ユーザの操作入力を検出するセンサ１１を有する操作入力受付部１０と、少なくとも操作入力受付部１０の中央領域が露出した状態で中央領域の周囲に設けられたベゼル２０と、中央領域を覆うように粘着剤層３１を介して貼り付けられる保護フィルム３０と、保護フィルム３０における粘着剤層３１が設けられた面とは反対側の面に粘着部４３を介して貼り付けられる貼付部４１及び貼付部４１から保護フィルム３０に対して揺動可能に延出する延出部４２を有する剥離テープ４０と、を備え、保護フィルム３０は、剥離テープ４０と保護フィルム３０とが積層された積層方向に沿って保護フィルム３０を見た場合に、剥離テープ４０と重複する領域に保護フィルム３０及び粘着剤層３１を厚さ方向に沿って貫通する貫通孔５０が設けられている。【選択図】図１
2018190167.tif 000002
【特許請求の範囲】
【請求項１】
ユーザの操作入力を検出するタッチパネルであって、
前記操作入力を検出するセンサを有する操作入力受付部と、
少なくとも前記操作入力受付部の中央領域が露出した状態で前記中央領域の周囲に設けられたベゼルと、
前記中央領域を覆うように粘着剤層を介して貼り付けられる保護フィルムと、
前記保護フィルムが有する面のうち、前記粘着剤層が設けられた面とは反対側の面に粘着部を介して貼り付けられる貼付部、及び前記貼付部から前記保護フィルムに対して揺動可能に延出する延出部を有する剥離テープと、を備え、
前記保護フィルムは、前記剥離テープと前記保護フィルムとが積層された積層方向に沿って前記保護フィルムを見た場合に、前記剥離テープと重複する領域に前記保護フィルム及び前記粘着剤層を厚さ方向に沿って貫通する貫通孔が設けられているタッチパネル。
【請求項２】
前記剥離テープは、前記積層方向に沿って見た場合に、前記剥離テープの全領域が前記保護フィルムと重複して設けられる請求項１に記載のタッチパネル。
【請求項３】
前記貫通孔は、前記積層方向に沿って前記剥離テープを見た場合に、前記保護フィルムにおける前記貼付部及び前記延出部の双方と重複する位置に設けられている請求項１又は２に記載のタッチパネル。
【請求項４】
前記貫通孔は、前記積層方向に沿って見た場合に、スリット状の線形である請求項１から３のいずれか一項に記載のタッチパネル。
【請求項５】
前記貫通孔は、前記積層方向に沿って見た場合に、円形又は楕円形である請求項１から３のいずれか一項に記載のタッチパネル。
【請求項６】
前記貫通孔は、複数設けられる請求項１から５のいずれか一項に記載のタッチパネル。
【請求項７】
前記保護フィルムは、ポリエステルを用いて形成される請求項１から６のいずれか一項に記載のタッチパネル。
【発明の詳細な説明】
【技術分野】
【０００１】
本発明は、ユーザの操作入力を検出するタッチパネルに関する。
【背景技術】
【０００２】
ユーザの操作入力を検出するタッチパネルは、製造工程において前記操作入力を検出するセンサを保護することを目的として表面（センサを有する操作入力受付部の表面）に保護フィルムが貼り付けられることがある。このような保護フィルムの一例として、例えば特許文献１に記載のものがある。
【０００３】
特許文献１に記載の保護シート（保護フィルムの一例）は、中央領域と当該中央領域の周囲を囲む周囲領域との間にスリットを形成し、予め設定された引き剥がし方向に沿って周囲領域の保護シートを剥がす際に、周囲領域に釣られて中央領域も一緒に剥がれないように構成している。また、中央領域の表面に、中央領域を引き剥がすためのタブ（「剥離テープ」の一例）が設けられており、中央領域のタブ近傍に、スリットから連続して切り込み部が形成される構成が開示されている。
【先行技術文献】
【特許文献】
【０００４】
【特許文献１】国際公開第２０１２／０３２８９９号パンフレット
【発明の概要】
【発明が解決しようとする課題】
【０００５】
ここで、センサを有する操作入力受付部の周囲領域には、ベゼルが設けられる場合がある。一方、上述したようにタッチパネルは、保護目的として粘着剤層を介して保護フィルムが貼り付けられ、保護フィルムが貼り付けられた状態でベゼルの取付工程に搬送される。この保護フィルムはタッチパネルの完成後（組み立て後）又はタッチパネルを用いた製品の据え付け後に剥離されるが、この保護フィルムに特許文献１に記載の保護シートを用いた場合、保護フィルムが操作入力受付部に吸着している。保護フィルムの端部に剥離テープが設けられていると、ベゼルの取付工程で操作入力受付部の周囲領域に剥離テープがはみ出して、ベゼルとの間に挟み込まれる恐れがあるので、保護フィルムの端部に剥離テープを設けるのは困難である。また、保護フィルムの端部から離間された位置に剥離テープを設けたときには、保護フィルムの端部で操作入力受付部と保護フィルムとの間に空気を入れることができないので、剥離時に大きな力を要し、容易に、且つ、確実に剥離することが困難となる。また、引き剥がしのきっかけとなる切り込み部を保護フィルムに設ける構成でも、剥離テープを持って保護フィルムを引き剥がすときに、切り込み部に力がかかり保護フィルムが裂けるという不具合があり、容易に、且つ、確実に剥離することが困難となる。
【０００６】
そこで、容易に、且つ、確実に剥離することが可能な保護シートで保護したタッチパネルが求められる。
【課題を解決するための手段】
【０００７】
本発明に係るタッチパネルの特徴構成は、ユーザの操作入力を検出するタッチパネルであって、前記操作入力を検出するセンサを有する操作入力受付部と、少なくとも前記操作入力受付部の中央領域が露出した状態で前記中央領域の周囲に設けられたベゼルと、前記中央領域を覆うように粘着剤層を介して貼り付けられる保護フィルムと、前記保護フィルムが有する面のうち、前記粘着剤層が設けられた面とは反対側の面に粘着部を介して貼り付けられる貼付部、及び前記貼付部から前記保護フィルムに対して揺動可能に延出する延出部を有する剥離テープと、を備え、前記保護フィルムは、前記剥離テープと前記保護フィルムとが積層された積層方向に沿って前記保護フィルムを見た場合に、前記剥離テープと重複する領域に前記保護フィルム及び前記粘着剤層を厚さ方向に沿って貫通する貫通孔が設けられている点にある。
【０００８】
このような特徴構成とすれば、保護フィルムにおける剥離テープに平面視で重複する領域に貫通孔を設けることができ、延出部を所定の方向に引っ張って保護フィルムを持ち上げることにより、操作入力受付部と保護フィルムとの間に貫通孔を介して空気を進入させることが可能となる。この空気の進入により操作入力受付部と保護フィルムとの間の接着力を低減できるので、当該空気が進入した部位を中心にスムーズに保護フィルムを容易に、且つ、確実に剥離することが可能となる。
【０００９】
また、前記剥離テープは、前記積層方向に沿って見た場合に、前記剥離テープの全領域が前記保護フィルムと重複して設けられると好適である。
【００１０】
このような構成とすれば、保護フィルムが貼り付けられた操作入力受付部にベゼルを組み付ける工程において、操作入力受付部とベゼルとの間に剥離テープの延出部が挟み込まれることを防止できる。
【００１１】
また、前記貫通孔は、前記積層方向に沿って前記剥離テープを見た場合に、前記保護フィルムにおける前記貼付部及び前記延出部の双方と重複する位置に設けられていると好適である。
【００１２】
このような構成とすれば、保護フィルムにおける剥離テープの粘着部と剥離テープを剥離する際の持ち手部分となる延出部との双方に平面視で重複する領域に貫通孔を設けることができ、延出部を所定の方向に引っ張った際に操作入力受付部と保護フィルムとの間に確実に空気を進入させることが可能となる。したがって、保護シートを容易に、且つ、確実に剥離することが可能となる。
【００１３】
また、前記貫通孔は、前記積層方向に沿って見た場合に、スリット状の線形であると好適である。
【００１４】
このような構成とすれば、貫通孔の加工を容易に行うことが可能となる。
【００１５】
あるいは、前記貫通孔は、前記積層方向に沿って見た場合に、円形又は楕円形であっても良い。
【００１６】
剥離テープの延出部を所定の方向に引っ張る際、例えば貫通孔が多角形状である場合には引張方向によっては多角形状の角部を起点に保護フィルムが裂ける可能性がある。そこで、このような構成とすれば、貫通孔において角部をなくせるため、保護フィルムが裂けることを防止できる。
【００１７】
また、前記貫通孔は、複数設けられると好適である。
【００１８】
このような構成とすれば、粘着部を介して剥離テープを保護フィルムに貼り付ける際に仮に位置ずれした場合であっても、いずれかの貫通孔が剥離テープと保護フィルムとが積層された積層方向に沿って保護フィルムを見た場合に、剥離テープと重複する領域に保護フィルム及び粘着剤層を厚さ方向に沿って貫通した状態とすることができる。したがって、剥離テープを保護フィルムに貼り付ける際の位置ずれのマージンを確保することが可能となる。
【００１９】
また、前記保護フィルムは、ポリエステルを用いて形成されると好適である。
【００２０】
このような構成とすれば、保護フィルムの強度を確保でき、また、貫通孔を加工し易くできる。
【図面の簡単な説明】
【００２１】
【図１】タッチパネルの上面図である。
【図２】図１のII−II線の断面図である。
【図３】貫通孔が設けられた保護フィルムの部分拡大図である。
【図４】その他の実施形態のタッチパネルの断面図である。
【図５】その他の実施形態の貫通孔を示した図である。
【図６】その他の実施形態の貫通孔を示した図である。
【図７】その他の実施形態の貫通孔を示した図である。
【発明を実施するための形態】
【００２２】
本発明に係るタッチパネルは、ユーザの操作入力を検出することができるように構成される。ユーザの操作入力とは、ユーザがタッチパネルを操作して行う入力である。以下、本実施形態のタッチパネル１００について説明する。
【００２３】
図１は、本実施形態のタッチパネル１００の上面図であり、図２は、図１のII−II線の断面図である。図１及び図２に示されるように、タッチパネル１００は、操作入力受付部１０、ベゼル２０、保護フィルム３０、剥離テープ４０を備えて構成される。なお、図２では、タッチパネル１００の底側の図示は省略している。
【００２４】
操作入力受付部１０は、操作入力を検出するセンサ１１を有する。上述したように、ユーザはタッチパネル１００を操作して入力を行う。操作入力受付部１０は、この操作を受け付けることができるように全面に亘ってセンサ１１が設けられる。なお、このセンサ１１は、例えば静電容量型であっても良いし、抵抗膜型であっても良い。もちろん、その他の形式によるものであっても良い。
【００２５】
ベゼル２０は、少なくとも操作入力受付部１０の中央領域１２が露出した状態で中央領域１２の周囲に設けられる。操作入力受付部１０は、中央部にあたる中央領域１２と、当該中央領域１２を囲む外周領域１３とに区分することができる。したがって、中央領域１２の周囲とは、本実施形態では外周領域１３が相当する。本実施形態では、ベゼル２０は、図２に示されるように外周領域１３を覆うように設けられる。これによりベゼル２０に対して中央領域１２が露出した状態とされる。
【００２６】
保護フィルム３０は、中央領域１２を覆うように粘着剤層３１を介して貼り付けられる。操作入力受付部１０は、上述したように外周領域１３がベゼル２０により覆われ、中央領域１２が露出した状態とされる。保護フィルム３０は一方の面に粘着剤層３１が設けられ、この粘着剤層３１を介して中央領域１２に貼り付けられる。このような保護フィルム３０は、例えばポリエステルを用いて形成すると好適である。
【００２７】
剥離テープ４０は、保護フィルム３０が有する面のうち、粘着剤層３１が設けられた面とは反対側の面に粘着部４３を介して貼り付けられる貼付部４１、及び貼付部４１から保護フィルム３０に対して揺動可能に延出する延出部４２を有する。保護フィルム３０が有する面のうち、粘着剤層３１が設けられた面とは、保護フィルム３０における操作入力受付部１０に対向する面である。したがって、保護フィルム３０が有する面のうち、粘着剤層３１が設けられた面とは反対側の面とは、保護フィルム３０における操作入力受付部１０に対向する面の裏面が相当する。剥離テープ４０は、このような面（裏面）に粘着部４３を介して貼付部４１が貼り付けられる。
【００２８】
ここで、剥離テープ４０は、図２に示されるように、貼付部４１のみが粘着部４３を介して保護フィルム３０に貼り付けられる。このため、延出部４２は保護フィルム３０に貼り付けられず、揺動することができるように貼付部４１から延出する。ここで、本実施形態では「揺動することができるように」とは、延出部４２が所定の位置で曲げる（側面視が弓形状となる）ことが可能であることを意味する。
【００２９】
本実施形態では、剥離テープ４０は、剥離テープ４０と保護フィルム３０とが積層された積層方向に沿って見た場合に、剥離テープ４０の全領域が保護フィルム３０と重複して設けられる。剥離テープ４０と保護フィルム３０とが積層された積層方向に見た場合とは、本実施形態では図１に示されるようなタッチパネル１００の上面から見下ろした場合に相当する。剥離テープ４０が保護フィルム３０と剥離テープ４０の全領域が重複するとは、貼付部４１から延出部４２が延出された状態の剥離テープ４０が、例えばベゼル２０に覆われることなく保護フィルム３０上に位置することを意味する。したがって、剥離テープ４０は、保護フィルム３０上において貼付部４１及び延出部４２が露出した状態で設けられる。
【００３０】
また、保護フィルム３０は、上記積層方向に沿って保護フィルム３０を見た場合に、剥離テープ４０と重複する領域に保護フィルム３０及び粘着剤層３１を厚さ方向に沿って貫通する貫通孔５０が設けられる。剥離テープ４０と重複する領域とは、保護フィルム３０における剥離テープ４０（貼付部４１及び延出部４２）が設けられた領域である。保護フィルム３０及び粘着剤層３１を厚さ方向に沿って貫通するとは、保護フィルム３０及び粘着剤層３１の夫々について、互いに対向する面の一方の面から他方の面に貫通することをいう。本実施形態では、剥離テープ４０が設けられた面から、操作入力受付部１０に対向する面に貫通し、操作入力受付部１０のうち貫通孔５０と対向する部分が貫通孔５０を介して外気と連通することを意味する。保護フィルム３０及び粘着剤層３１は、剥離テープ４０が設けられた領域に保護フィルム３０及び粘着剤層３１の厚さ方向に沿って貫通孔５０が設けられる。
【００３１】
特に、本実施形態では、貫通孔５０は、積層方向に沿って剥離テープ４０を見た場合に、保護フィルム３０における貼付部４１及び延出部４２の双方と重複する位置に設けられる。すなわち、貫通孔５０は、保護フィルム３０における剥離テープ４０の貼付部４１及び延出部４２の双方の積層方向直下の位置に設けられる。これにより、少なくとも保護フィルム３０を剥がすべく延出部４２を上方に引っ張った際に、少なくとも貫通孔５０を介して保護フィルム３０及び粘着剤層３１と、操作入力受付部１０との間に空気が進入し易くなり、保護フィルム３０を剥がし易くすることが可能となる。
【００３２】
図３には、本実施形態の貫通孔５０を拡大した図が示される。図３に示されるように、本実施形態では、貫通孔５０は積層方向に沿って見た場合に、スリット状の線形で構成される。この場合、線形の長手方向は、剥離テープ４０の貼付部４１と延出部４２との並び方向に沿って設けると、剥離テープ４０を剥がす際に保護フィルム３０及び粘着剤層３１と、操作入力受付部１０との間に空気が進入し易くなるため好適である。
【００３３】
また、図３に示されるように、貫通孔５０は、複数設けると好適である。これにより、粘着部４３を介して剥離テープ４０を保護フィルム３０に貼り付ける際に仮に位置ずれした場合であっても、いずれかの貫通孔５０が保護フィルム３０における剥離テープ４０の積層方向直下の位置に、保護フィルム３０及び粘着剤層３１を厚さ方向に沿って貫通した状態とすることができる。したがって、剥離テープ４０を保護フィルム３０に貼り付ける際の位置ずれのマージンを確保することが可能となる。
【００３４】
〔その他の実施形態〕
上記実施形態では、ベゼル２０が少なくとも操作入力受付部１０の中央領域１２が露出した状態で中央領域１２の周囲に設けられるとして説明したが、図４に示されるように、ベゼル２０は操作入力受付部１０の外周部１４を囲むように設けることも可能である。このような構成であっても、ベゼル２０は、操作入力受付部１０の中央領域１２が露出した状態とすることが可能である。
【００３５】
上記実施形態では、剥離テープ４０は、剥離テープ４０と保護フィルム３０との積層方向に沿って見た場合に、剥離テープ４０の全領域が保護フィルム３０と重複して設けられると説明したが、剥離テープ４０は、剥離テープ４０と保護フィルム３０との積層方向に沿って見た場合に、剥離テープ４０の全領域が保護フィルム３０と重複しないで設けることも可能である。
【００３６】
上記実施形態では、貫通孔５０は、剥離テープ４０と保護フィルム３０との積層方向に沿って剥離テープ４０を見た場合に、保護フィルム３０における貼付部４１及び延出部４２の双方と重複する位置に設けられるとして説明したが、貫通孔５０は、上記積層方向に剥離テープ４０を見て、保護フィルム３０における貼付部４１及び延出部４２の一方と重複する位置に設けることも可能である。
【００３７】
上記実施形態では、貫通孔５０は、剥離テープ４０と保護フィルム３０との積層方向に沿って見た場合に、スリット状の線形であるとして説明したが、貫通孔５０は、図５に示されるように、剥離テープ４０と保護フィルム３０との積層方向に沿って見た場合に、円形で構成することも可能である。また、図示はしないが楕円形で構成することも可能である。
【００３８】
上記実施形態では、貫通孔５０は、複数設けられるとして説明したが、例えば図６に示されるように単一のスリット状の線形で構成することも可能であるし、図７に示されるように単一の楕円形で構成することも可能である。また、図示はしないが単一の円形で構成することも可能である。
【００３９】
上記実施形態では、保護フィルム３０は、ポリエステルを用いて形成されるとして説明したが、保護フィルム３０はポリエステル以外の材料を用いて形成することも可能である。
【００４０】
上記実施形態ではタッチパネルについて説明したが、上述した保護フィルム３０及び剥離テープ４０を、少なくとも表示部の中央領域１２が露出した状態で当該中央領域１２の周囲に設けられるベゼル２０を有する液用表示装置やエレクトロルミネセンス表示等のその他の情報表示装置に利用することも可能である。
【産業上の利用可能性】
【００４１】
本発明は、ユーザの操作入力を検出するタッチパネルに用いることが可能である。
【符号の説明】
【００４２】
１０：操作入力受付部
１１：センサ
１２：中央領域
２０：ベゼル
３０：保護フィルム
３１：粘着剤層
４０：剥離テープ
４１：貼付部
４２：延出部
５０：貫通孔
１００：タッチパネル
【図１】
2018190167.tif 000003
【図２】
2018190167.tif 000004
【図３】
2018190167.tif 000005
【図４】
2018190167.tif 000006
【図５】
2018190167.tif 000007
【図６】
2018190167.tif 000008
【図７】
2018190167.tif 000009